(57)【要約】      （修正有）【課題】一般的な家庭でも、体を引上げる運動をすることができる足台開角調整可能な腹部引張装置を提供する。【解決手段】支持装置１と、握り具１０１と、摺動装置２を備える。支持装置は、ある開角を成すように連接して立つ第１支持枠１１と第２支持枠１２とを備え、その連接箇所で組付端１０が形成される。第２支持枠は伸縮可能であり、外チューブ１２１と内チューブ１２２を互いに嵌合して構成する。握り具は、組付端に設けられ、その上縁に当接面１０２が形成される。摺動装置は、摺動台２１と、摺動台の両側に延びる左当接具２２と右当接具２４とを備え、第１支持枠をレールとして摺動する。【選択図】図１
0003175700.tif 000002
【実用新案登録請求の範囲】
【請求項１】
第１支持枠と、第２支持枠と、を備え、前記第１支持枠と前記第２支持枠は、ある開角を成すように互いに連接して床面に立ち、その連接箇所で組付端が形成され、前記第２支持枠は、伸縮可能であり、外チューブと内チューブを互いに嵌合して構成され、前記外チューブは、一端が前記組付端に固定され、他端が前記内チューブと摺動可能に嵌合し、前記内チューブが前記外チューブを摺動することにより、前記第２支持枠の全長を調整して、前記第１支持枠と床面の開角を調整でき、前記外チューブに定位穴が複数設けられ、前記内チューブには、これらの前記定位穴に対応するための貫通孔が設けられ、前記内チューブの内部に弾性具が設けられ、前記弾性具の一端に係止ブロックが設けられ、前記弾性具が前記内チューブの内面に弾性的に押し付けており、前記係止ブロックは前記貫通孔を挿通して前記定位穴のうちの一つに突出することにより、前記外チューブに前記内チューブを定位して、前記第２支持枠の長さを固定できる支持装置と、
前記組付端に設けられ、ユーザが握り可能であり、その上縁に当接面が形成され、ユーザは、前記当接面に肘を当接して、体を引上げて腹部を運動できる握り具と、
摺動台と、左当接具と、右当接具と、を備え、前記摺動台が前記第１支持枠をレールとして、前記左当接具と前記右当接具とが前記第１支持枠を摺動できる摺動装置と、
を含むことを特徴とする足台開角調整可能な腹部引張装置。
【請求項２】
前記摺動台は、両側に延びる、第１ロッドと、第２ロッドと、を有し、前記第１ロッドと前記第２ロッドとが軟性構造に覆われて、前記左当接具と前記右当接具とを形成し、前記軟性構造は前記第１ロッドから前記第２ロッドに延びて円弧凹面を形成し、ユーザは、前記円弧凹面に膝を押付けて、体を引上げて腹部を運動できることを特徴とする、請求項１に記載の足台開角調整可能な腹部引張装置。
【請求項３】
前記第１支持枠の底端に近接する箇所で止め具が設けられ、前記止め具により、前記摺動装置は、下方に摺動しているときに、前記第１支持枠から離脱することを回避できることを特徴とする、請求項１に記載の足台開角調整可能な腹部引張装置。
【考案の詳細な説明】
【技術分野】
【０００１】
本考案は、足台開角調整可能な腹部引張装置に関し、特に、体を引上げて腹部を運動することにより、身体を鍛錬でき、手部、背部及び腰部の曲線を綺麗にすることができる足台開角調整可能な腹部引張装置に関するものである。
【背景技術】
【０００２】
市販している健康器具を利用することにより、ユーザは、身体を鍛錬でき、体の曲線を綺麗にすることもできる。健康器具のうちに、体を引上げ可能な健康器具は国民に愛用されている。体を引上げることにより、背部の筋肉を引張ることができると共に、血行を良くする効果もある。体を引上げたいときには、ユーザの胸部よりも高い位置に位置する横ロッドが必要であり、ユーザは、両手が前記横ロッドを握って、アーム及び背部の力によって体を引上げたり下がったりすることにより、アーム及び背部の筋肉を鍛錬できる。しかし、一般的な家庭では、体を引上げる運動をすることができる装置や場所がないため、トレーニング・ジムなどの場所に行って運動することが必要であり、極めて不便であった。
【考案の概要】
【考案が解決しようとする課題】
【０００３】
本考案の主な目的は、一般的な家庭でも、体を引上げる運動をすることができ、トレーニング・ジムなどの場所に行って運動することが必要なくなる足台開角調整可能な腹部引張装置を提供することにある。
【課題を解決するための手段】
【０００４】
本考案の足台開角調整可能な腹部引張装置によると、第１支持枠と、第２支持枠と、を備え、第１支持枠と第２支持枠は、ある開角を成すように互いに連接して床面に立ち、その連接箇所で組付端が形成され、第２支持枠は、伸縮可能であり、外チューブと内チューブを互いに嵌合して構成され、外チューブは、一端が組付端に固定され、他端が内チューブと摺動可能に嵌合し、内チューブが外チューブを摺動することにより、第２支持枠の全長を調整して、第１支持枠と床面の開角を調整でき、外チューブに定位穴が複数設けられ、内チューブには、これらの定位穴に対応するための貫通孔が設けられ、内チューブの内部に弾性具が設けられ、弾性具の一端に係止ブロックが設けられ、弾性具が内チューブの内面に弾性的に押し付けており、係止ブロックは貫通孔を挿通して定位穴のうちの一つに突出することにより、外チューブに内チューブを定位して、第２支持枠の長さを固定できる支持装置と、
組付端に設けられ、ユーザが握り可能であり、その上縁に当接面が形成され、ユーザは、当接面に肘を当接して、体を引上げて腹部を運動できる握り具と、
摺動台と、左当接具と、右当接具と、を備え、摺動台が第１支持枠をレールとして、左当接具と右当接具とが第１支持枠を摺動できる摺動装置と、
を含むことを特徴とする。
【０００５】
本考案の足台開角調整可能な腹部引張装置によると、摺動台は、両側に延びる、第１ロッドと、第２ロッドと、を有し、第１ロッドと第２ロッドとが軟性構造に覆われて、左当接具と右当接具とを形成し、軟性構造は第１ロッドから第２ロッドに延びて円弧凹面を形成し、ユーザは、円弧凹面に膝を押付けて、体を引上げて腹部を運動できることを特徴とする。
【０００６】
本考案の足台開角調整可能な腹部引張装置によると、第１支持枠の底端に近接する箇所で止め具が設けられ、止め具により、摺動装置は、下方に摺動しているときに、第１支持枠から離脱することを回避できることを特徴とする。
【考案の効果】
【０００７】
本考案の足台開角調整可能な腹部引張装置によれば、次のような効果がある。
（１）本考案の左当接具と左当接具との軟性構造により、ユーザの膝を保護できる。
【０００８】
（２）構成が簡単であり、重量が軽いため、運搬が容易となり、一般的な家庭でも、体を引上げる運動をすることができ、手部、腰部、腹部及び背部を鍛錬できる。
【０００９】
（３）本考案の第２支持枠の長さを調整できるため、第１支持枠と床面の開角を調整でき、これにより、異なる強度の訓練をすることができ、異なるユーザの体力に合う訓練をすることができる。
【図面の簡単な説明】
【００１０】
【図１】本考案の一実施例を示す斜視図である。
【図２】本考案の一実施例の使用状態を示す斜視図である。
【図３】本考案の第２支持枠の伸縮状態を示す模式図である。
【図４】本考案の第２支持枠を示す断面図である。
【図５】本考案の一実施例の使用状態を示す斜視図である。
【考案を実施するための形態】
【００１１】
以下、本考案の実施の形態を図面に基づいて説明する。
まず、図１乃至図５を参照する。本考案の一実施例の足台開角調整可能な腹部引張装置は、支持装置１と、握り具１０１と、摺動装置２と、を含む。支持装置１は、第１支持枠１１と、第２支持枠１２と、を備える。第１支持枠１１と第２支持枠１２は、ある開角を成すように互いに連接して床面に立ち、その連接箇所で組付端１０が形成される。第２支持枠１２は、伸縮可能であり、外チューブ１２１と内チューブ１２２を互いに嵌合して構成される。外チューブ１２１は、一端が組付端１０に固定され、他端が内チューブ１２２と摺動可能に嵌合する。内チューブ１２２が外チューブ１２１を摺動することにより、第２支持枠１２の全長を調整して、第１支持枠１１と床面の開角を調整できる。外チューブ１２１に定位穴１２３が複数設けられる。内チューブ１２２には、これらの定位穴１２３に対応するための貫通孔１２４が設けられる。内チューブ１２２の内部に弾性具１２５が設けられる。弾性具１２５の一端に係止ブロック１２６が設けられる。弾性具１２５が内チューブ１２２の内面に弾性的に押し付けている。係止ブロック１２６は貫通孔１２４を挿通して定位穴１２３のうちの一つに突出することにより、外チューブ１２１に内チューブ１２２を定位して、第２支持枠１２の長さを固定できる。握り具１０１は、組付端１０に設けられ、ユーザが握り可能であり、その上縁に当接面１０２が形成される。ユーザは、当接面１０２に肘を当接して、体を引上げて腹部を運動できる。摺動装置２は、摺動台２１と、左当接具２２と、右当接具２４と、を備える。摺動台２１は第１支持枠１１をレールとして、左当接具２２と右当接具２４とが第１支持枠１１を摺動できる。摺動台２１は、両側に延びる、第１ロッド２２１と、第２ロッド２４１と、を有する。第１ロッド２２１と第２ロッド２４１とが軟性構造２２０、２４０に覆われて、左当接具２２と右当接具２４とを形成する。軟性構造２２０、２４０は第１ロッド２２１から第２ロッド２４１に延びて円弧凹面２２２、２４２を形成する。ユーザは、円弧凹面２２２、２４２に膝を押付けて、体を引上げて腹部を運動できる。
【００１２】
第１支持枠１１の底端に近接する箇所で止め具１１１が設けられる。止め具１１１により、摺動装置２は、下方に摺動しているときに、第１支持枠１１から離脱することを回避できる。摺動台２１には、第１ローラ２３と、第２ローラ２５と、が枢着される。第１ローラ２３は第１支持枠１１の上面で転がり可能である。第２ローラ２５は第１支持枠１１の下面で転がり可能である。これにより、摺動装置２は第１支持枠１１を安定に摺動できる。体を引上げて腹部を運動したいときに、ユーザは、握り具１０１を握って、左当接具２２の円弧凹面２２２と右当接具２４の円弧凹面２４２とに膝を当接すると、体を引上げて腹部を鍛錬でき、摺動装置２を摺動することにより、手部、腰部、腹部及び背部を鍛錬できる。
【産業上の利用可能性】
【００１３】
本考案は、腹部引張装置に適用することができる。
【符号の説明】
【００１４】
１：支持装置
２：摺動装置
１０：組付端
１１：第１支持枠
１２：第２支持枠
２１：摺動台
２２：左当接具
２３：第１ローラ
２４：右当接具
２５：第２ローラ
１０１：握り具
１０２：当接面
１１１：止め具
１２１：外チューブ
１２２：内チューブ
１２３：定位穴
１２４：貫通孔
１２５：弾性具
１２６：係止ブロック
２２０：軟性構造
２２１：第１ロッド
２２２：円弧凹面
２４０：軟性構造
２４１：第２ロッド
２４２：円弧凹面
【図１】
0003175700.tif 000003
【図２】
0003175700.tif 000004
【図３】
0003175700.tif 000005
【図４】
0003175700.tif 000006
【図５】
0003175700.tif 000007